(57)【特許請求の範囲】
【請求項１】
多数の演奏曲のうちから選択される所定の演奏曲を出力させると共に、該演奏曲の出力と同期して所定の映像を表示させるカラオケ装置であって、
画面に対する第１の角度範囲から視た場合に視認可能な第１の映像を表示させると共に、前記画面に対する第２の角度範囲から視た場合に視認可能な第２の映像を表示させる映像表示装置と、
前記演奏曲の出力と同期して該演奏曲の歌詞文字映像を含む演奏映像を、前記第１の映像及び／又は第２の映像として表示させる演奏映像表示制御手段と、
前記多数の演奏曲のうちから所定の演奏曲を選曲するための選曲映像を、前記第１の映像及び／又は第２の映像として表示させる選曲映像表示制御手段と、
無線信号を介して音声情報を入力するための音声入力装置と、
該音声入力装置からの無線信号の方向を検知する方向検知装置と、
該方向検知装置により検知される無線信号の方向に基づいて、前記演奏映像表示制御手段により制御される演奏映像を前記映像表示装置における前記第１の映像及び／又は第２の映像として選択的に表示させる映像表示制御手段と
を、有することを特徴とするカラオケ装置。
【請求項２】
前記選曲映像表示制御手段は、
それぞれ所定の文字を示す複数の文字ボタンを表示させる文字ボタン表示手段と、
該文字ボタン表示手段により表示された文字ボタンの表示に従って所定の入力装置により入力される文字乃至は文字列に基づいて検索される単数乃至は複数の歌手名を示す歌手名ボタンを表示させる歌手名ボタン表示手段と、
該歌手名ボタン表示手段により表示された歌手名ボタンの表示に従って行われる前記入力装置による入力に応じて検索される単数乃至は複数の演奏曲を示す曲名ボタンを表示させる曲名ボタン表示手段と
を、含むものであり、
該曲名ボタン表示手段により表示された曲名ボタンの表示に従って行われる前記入力装置による入力に応じて、該曲名ボタンにより示される演奏曲を選曲する選曲手段を有するものである請求項１のカラオケ装置。
【請求項３】
前記選曲映像表示制御手段は、
それぞれ所定の文字を示す複数の文字ボタンを表示させる文字ボタン表示手段と、
該文字ボタン表示手段により表示された文字ボタンの表示に従って所定の入力装置により入力される文字乃至は文字列に基づいて検索される単数乃至は複数の演奏曲を示す曲名ボタンを表示させる曲名ボタン表示手段と
を、含むものであり、
該曲名ボタン表示手段により表示された曲名ボタンの表示に従って行われる前記入力装置による入力に応じて、該曲名ボタンにより示される演奏曲を選曲する選曲手段を有するものである請求項１のカラオケ装置。
【請求項４】
前記選曲映像表示制御手段は、
それぞれ所定のジャンルを示す複数のジャンルボタンを表示させるジャンルボタン表示手段と、
該ジャンルボタン表示手段により表示されたジャンルボタンの表示に従って行われる所定の入力装置による入力に応じて検索される単数乃至は複数の演奏曲を示す曲名ボタンを表示させる曲名ボタン表示手段と
を、含むものであり、
該曲名ボタン表示手段により表示された曲名ボタンの表示に従って行われる前記入力装置による入力に応じて、該曲名ボタンにより示される演奏曲を選曲する選曲手段を有するものである請求項１のカラオケ装置。
【請求項５】
無線信号を介して選曲に関する入力を行うための入力装置と、
該入力装置からの無線信号の方向を検知する方向検知装置と、
該方向検知装置により検知される無線信号の方向に基づいて、前記選曲映像表示制御手段により制御される選曲映像を前記映像表示装置における前記第１の映像及び／又は第２の映像として選択的に表示させる映像表示制御手段と
を、備えたものである請求項１から４の何れかのカラオケ装置。
【請求項６】
前記映像表示制御手段は、前記方向検知装置により検知される前記音声入力装置からの無線信号の方向と前記入力装置からの無線信号の方向とが一致する場合には、前記演奏映像表示制御手段により制御される演奏映像の表示を優先するものである請求項５のカラオケ装置。
【発明の詳細な説明】
【技術分野】
【０００１】
本発明は、カラオケボックス等で使用されるカラオケ装置に関し、特に、カラオケ演奏に際しての映像表示機能の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して映像表示装置の画面に表示させることで、所望の歌のカラオケ演奏を楽しむことができる。
【０００３】
前記カラオケ演奏における映像表示に関して、前記映像表示装置の画面を複数の領域に分割し、各領域に異なる映像を表示させる技術が提案されている。例えば、特許文献１に記載されたカラオケ付きテレビ受像機がそれである。この技術によれば、画面を左右２領域に分割して各領域に異なる映像を表示可能な映像表示装置と、演奏者の映像を撮影し得る撮像装置と、を備え、その撮像装置により撮影された映像を前記左右２領域の何れか一方に表示させると共に、他方の領域に演奏曲の歌詞文字映像を表示させることで、カラオケ演奏に際して演奏者の映像を前記映像表示装置の画面の一部に表示できる。
【０００４】
【特許文献１】特開２００２−９１４６０号公報
【発明の開示】
【発明が解決しようとする課題】
【０００５】
ところで、前記カラオケ装置における演奏曲の選曲（予約）入力は、所定の早見本を参照して所望の演奏曲に対応する選曲番号を調べ、その選曲番号をリモコン装置等により入力するといった方法が従来とられてきた。また、最近では、所定の映像を表示させると共に利用者の接触に応じて前記カラオケ装置への入力を行うタッチパネルディスプレイを備えた電子早見本装置を用いて斯かる選曲入力を行うことが一般化されつつある。この電子早見本装置による選曲では、上記タッチパネルディスプレイに表示される映像に基づいて曲名検索や歌手名検索等の各種検索が容易に行えることから利用性が高い。だが、上記電子早見本装置はまだ普及途上であるため、その電子早見本装置を備えないカラオケ装置（乃至はそのカラオケ装置を利用する店舗）は未だ多い。また、斯かる電子早見本装置を備えている場合であっても、１台のカラオケ装置に対して１つの電子早見本装置をくくりつける（対応付ける）態様が一般的であることから、比較的多人数でカラオケ演奏を楽しむ場合には他の誰かが使っていてその電子早見本装置を用いての選曲入力ができないことがある。
【０００６】
そこで、前記カラオケ装置においても電子早見本装置と同様の選曲入力を可能とすべく、そのカラオケ装置に備えられた映像表示装置に上記選曲のための映像を表示させ、その映像に基づいてリモコン装置等の操作により選曲入力を行うことが考えられる。しかし、演奏曲の出力中においては前記映像表示装置に歌詞文字映像等を含む演奏のための映像が表示されるため、斯かる態様ではカラオケ演奏中には選曲入力を行うことができないという弊害があった。また、前述したような従来の技術をこの選曲のための映像の表示に応用し、その選曲のための映像と演奏のための映像とを前記各領域にそれぞれ表示させることを考えた場合、そのように前記映像表示装置の画面を複数の領域に分割するものでは、各領域それぞれに表示される映像が必然的に小さくなってしまい、選曲のための映像ではボタンの識別等が困難になる一方、演奏のための映像では歌詞文字映像が読み難くなるというように、何れにも新たな不具合を生じさせて共倒れになる可能性があった。すなわち、カラオケ演奏に際して演奏のための映像及び選曲のための映像を共に好適に表示し得るカラオケ装置は、未だ開発されていないのが現状である。
【０００７】
本発明は、以上の事情を背景として為されたものであり、その目的とするところは、カラオケ演奏に際して演奏のための映像及び選曲のための映像を共に好適に表示し得るカラオケ装置を提供することにある。
【課題を解決するための手段】
【０００８】
斯かる目的を達成するために、本発明の要旨とするところは、多数の演奏曲のうちから選択される所定の演奏曲を出力させると共に、その演奏曲の出力と同期して所定の映像を表示させるカラオケ装置であって、画面に対する第１の角度範囲から視た場合に視認可能な第１の映像を表示させると共に、前記画面に対する第２の角度範囲から視た場合に視認可能な第２の映像を表示させる映像表示装置と、前記演奏曲の出力と同期してその演奏曲の歌詞文字映像を含む演奏映像を、前記第１の映像及び／又は第２の映像として表示させる演奏映像表示制御手段と、前記多数の演奏曲のうちから所定の演奏曲を選曲するための選曲映像を、前記第１の映像及び／又は第２の映像として表示させる選曲映像表示制御手段と、無線信号を介して音声情報を入力するための音声入力装置と、その音声入力装置からの無線信号の方向を検知する方向検知装置と、その方向検知装置により検知される無線信号の方向に基づいて、前記演奏映像表示制御手段により制御される演奏映像を前記映像表示装置における前記第１の映像及び／又は第２の映像として選択的に表示させる映像表示制御手段とを、有することを特徴とするものである。
【発明の効果】
【０００９】
このようにすれば、画面に対する第１の角度範囲から視た場合に視認可能な第１の映像を表示させると共に、前記画面に対する第２の角度範囲から視た場合に視認可能な第２の映像を表示させる映像表示装置と、前記演奏曲の出力と同期してその演奏曲の歌詞文字映像を含む演奏映像を、前記第１の映像及び／又は第２の映像として表示させる演奏映像表示制御手段と、前記多数の演奏曲のうちから所定の演奏曲を選曲するための選曲映像を、前記第１の映像及び／又は第２の映像として表示させる選曲映像表示制御手段と、無線信号を介して音声情報を入力するための音声入力装置と、その音声入力装置からの無線信号の方向を検知する方向検知装置と、その方向検知装置により検知される無線信号の方向に基づいて、前記演奏映像表示制御手段により制御される演奏映像を前記映像表示装置における前記第１の映像及び／又は第２の映像として選択的に表示させる映像表示制御手段とを、有することから、前記音声入力装置の存在する方向すなわち演奏を行う利用者の存在する方向から視認できるように前記演奏映像を表示でき、斯かる演奏映像及び選曲映像をそれぞれ前記第１の映像又は第２の映像として共に可及的に大きく表示させることができる。すなわち、カラオケ演奏に際して演奏のための映像及び選曲のための映像を共に好適に表示し得るカラオケ装置を提供することができる。
【００１０】
ここで、好適には、前記選曲映像表示制御手段は、それぞれ所定の文字を示す複数の文字ボタンを表示させる文字ボタン表示手段と、その文字ボタン表示手段により表示された文字ボタンの表示に従って所定の入力装置により入力される文字乃至は文字列に基づいて検索される単数乃至は複数の歌手名を示す歌手名ボタンを表示させる歌手名ボタン表示手段と、その歌手名ボタン表示手段により表示された歌手名ボタンの表示に従って行われる前記入力装置による入力に応じて検索される単数乃至は複数の演奏曲を示す曲名ボタンを表示させる曲名ボタン表示手段とを、含むものであり、その曲名ボタン表示手段により表示された曲名ボタンの表示に従って行われる前記入力装置による入力に応じて、その曲名ボタンにより示される演奏曲を選曲する選曲手段を有するものである。このようにすれば、前記演奏曲の歌手名に基づいて選曲を行うための実用的な選曲映像を順次表示できるという利点がある。
【００１１】
また、好適には、前記選曲映像表示制御手段は、それぞれ所定の文字を示す複数の文字ボタンを表示させる文字ボタン表示手段と、その文字ボタン表示手段により表示された文字ボタンの表示に従って所定の入力装置により入力される文字乃至は文字列に基づいて検索される単数乃至は複数の演奏曲を示す曲名ボタンを表示させる曲名ボタン表示手段とを、含むものであり、その曲名ボタン表示手段により表示された曲名ボタンの表示に従って行われる前記入力装置による入力に応じて、その曲名ボタンにより示される演奏曲を選曲する選曲手段を有するものである。このようにすれば、前記演奏曲の曲名に基づいて選曲を行うための実用的な選曲映像を順次表示できるという利点がある。
【００１２】
また、好適には、前記選曲映像表示制御手段は、それぞれ所定のジャンルを示す複数のジャンルボタンを表示させるジャンルボタン表示手段と、そのジャンルボタン表示手段により表示されたジャンルボタンの表示に従って行われる所定の入力装置による入力に応じて検索される単数乃至は複数の演奏曲を示す曲名ボタンを表示させる曲名ボタン表示手段とを、含むものであり、その曲名ボタン表示手段により表示された曲名ボタンの表示に従って行われる前記入力装置による入力に応じて、その曲名ボタンにより示される演奏曲を選曲する選曲手段を有するものである。このようにすれば、前記演奏曲のジャンルに基づいて選曲を行うための実用的な選曲映像を順次表示できるという利点がある。
【００１４】
また、好適には、無線信号を介して選曲に関する入力を行うための入力装置と、その入力装置からの無線信号の方向を検知する方向検知装置と、その方向検知装置により検知される無線信号の方向に基づいて、前記選曲映像表示制御手段により制御される選曲映像を前記映像表示装置における前記第１の映像及び／又は第２の映像として選択的に表示させる映像表示制御手段とを、備えたものである。このようにすれば、前記入力装置の存在する方向すなわち選曲を行う利用者の存在する方向から視認できるように前記選曲映像を表示できるという利点がある。
【００１５】
また、好適には、前記映像表示制御手段は、前記方向検知装置により検知される前記音声入力装置からの無線信号の方向と前記入力装置からの無線信号の方向とが一致する場合には、前記演奏映像表示制御手段により制御される演奏映像の表示を優先するものである。このようにすれば、前記音声入力装置及び選曲のための入力装置が同じ方向に存在する際には前記演奏映像を優先的に表示させることで、演奏が妨げられるのを好適に防止できるという利点がある。
【００１６】
以下、本発明の好適な実施例を図面に基づいて詳細に説明する。
【実施例】
【００１７】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本発明の一実施例であるカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のサーバ（センタ装置）２０に接続されており、そのサーバ２０と上記カラオケ装置１６ａの相互間で情報の通信が可能とされている。このサーバ２０は、カラオケ情報、背景映像情報、曲間情報等のデジタルコンテンツ（Digital Contents）の保管や入出力管理の基本的な制御を行うサーバであり、上記通信回線１８を介してマスターコマンダであるカラオケ装置１６ａに定期的にコンテンツの配信を行うと共に、そのカラオケ装置１６ａからの要求に応じて所定のコンテンツや機能制御プログラム等を送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。また、上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。なお、本発明の趣旨から明かなように、上記カラオケシステム１０に上記電子早見本装置２２は必ずしも備えられて（くくりつけられて）いなくともよいが、説明の便宜のために本実施例では電子早見本装置２２を備えたカラオケシステム１０を例示する。
【００１８】
図２は、本発明の一実施例であるカラオケ装置１６の構成を例示するブロック線図である。この図２に示すように、上記カラオケ装置１６は、後述する視野角（可視範囲）制御型の映像表示装置３０、第１映像情報デコーダ３２ａ、第２映像情報デコーダ３２ｂ（以下、特に区別しない場合には単に映像情報デコーダ３２と称する）、第１映像出力部３３ａ、第２映像出力部３３ｂ（以下、特に区別しない場合には単に映像出力部３３と称する）、第１ビデオミキサ３４ａ、第２ビデオミキサ３４ｂ（以下、特に区別しない場合には単にビデオミキサ３４と称する）、それらビデオミキサ３４から出力される映像情報を上記映像表示装置３０に選択的に入力する映像表示制御装置３５、アンプミキサ３６、スピーカ３８、ワイヤレス式の音声入力装置であるマイクロフォン４０、操作パネル４２、中央演算処理装置であるＣＰＵ４４、読出専用メモリであるＲＯＭ４６、随時書込読出メモリであるＲＡＭ４８、記憶装置であるハードディスク５０、モデム５２、ＬＡＮポート５４、上記操作パネル４２等の入出力信号を処理する入出力インターフェイス５８、音源であるシンセサイザ６０、及びリモコン装置２８やマイクロフォン４０等の入力装置からの赤外線信号（リモコン信号）を受信するための受信ユニット６２を備えて構成されている。
【００１９】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記電子早見本装置２２やリモコン装置２８等により所定のカラオケ演奏曲が選曲された場合、その選曲されたカラオケ演奏曲を上記ＲＡＭ４８に設けられた予約曲テーブルに登録したり、その予約曲テーブルの演奏順に従って上記ハードディスク５０のカラオケデータベース６８から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記映像出力部３３へ送ったり、選曲時には曲名文字映像を生成して上記映像出力部３３へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ２０との間の情報通信やＬＡＮ２４を介した前記電子早見本装置２２との間の情報通信制御等の基本的な制御を実行すると共に、後述する演奏映像表示制御、検索／選曲入力待受制御、及び上記映像表示制御装置３５を介しての映像出力切換制御等を行う。
【００２０】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力装置（遠隔入力端末装置）として機能するリモコン装置２８が備えられており、前記受信ユニット６２は、そのリモコン装置２８から送信される赤外線信号（リモコン信号）を受信して前記ＣＰＵ４４へ供給する。また、前記カラオケ装置１６と電子早見本装置２２との対応付け（くくりつけ）処理も前記受信ユニット６２を介して行われ、そのようにして前記カラオケ装置１６に対応付けられた電子早見本装置２２も同様に入力装置として機能する。
【００２１】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記サーバ２０との間で情報の通信を行わない他のカラオケ装置１６には必ずしも設けられなくともよい。すなわち、マスターコマンダではないカラオケ装置１６ｂ、１６ｃ、１６ｄ、・・・は、マスターコマンダである前記カラオケ装置１６ａを介して前記サーバ２０等との間で情報の送受信を行う。
【００２２】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の情報を送信したりというように、電波を介して前記カラオケ装置１６と電子早見本装置２２との間における相互の情報のやりとりが実行される。
【００２３】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。また、前記マイクロフォン４０は、カラオケ演奏に際して利用者の手に把持される等して用いられるワイヤレス式の音声入力装置であり、入力された音声情報を赤外線信号として送信するための赤外線発信部を備えている。前記アンプミキサ３６では、このマイクロフォン４０から前記受信ユニット６２を介して入力される利用者の音声（歌声）と、前記シンセサイザ６０から送られてくる音楽信号とがミキシングされ、それらの信号が電気的に増幅されて前記スピーカ３８から出力される。
【００２４】
前記ハードディスク５０には、カラオケ演奏曲を出力させるための多数のカラオケ情報を記憶するカラオケデータベース６８、複数の背景映像情報を記憶する背景映像データベース７０、及び後述する選曲映像を表示させるための選曲映像情報を記憶する選曲映像データベース７２をはじめとする各種データベース（図８を参照）が設けられている。カラオケボックス等の店舗１２にそれぞれ備えられた複数のカラオケ装置１６のうちマスターコマンダとして機能するカラオケ装置１６ａは、前記モデム５２を介して前記通信回線１８に接続されており、随時新たなカラオケ情報、背景映像情報、選曲映像情報等が前記サーバ２０から前記通信回線１８を介して配信され、前記ハードディスク５０のカラオケデータベース６８、背景映像データベース７０、選曲映像データベース７２等に記憶される。また、そのようにして前記サーバ２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、上記カラオケデータベース６８、背景映像データベース７０、及び選曲映像データベース７２等の内容が等価なものとされる。
【００２５】
上記カラオケデータベース６８に記憶されるカラオケ情報は、曲名、歌手名、ジャンル情報、及び背景映像指定情報等を含むヘッダ情報、演奏情報としてのＭＩＤＩデータ、及び演奏曲の歌詞情報等を含む情報であり、各演奏曲毎にインデックスとしての選曲番号が定められている。この歌詞情報とは、演奏曲の歌詞に対応するテキスト情報、歌詞の出力タイミング情報、及び色替タイミング情報等を含むものである。また、上記背景映像データベース７０に記憶される背景映像情報は、前記映像情報デコーダ３２により所定の映像（背景映像）を再生させるために用いられる情報であり、例えばＭＰＥＧ（Moving Picture Experts Group）形式のデータである。また、上記演奏映像データベース７２に記憶される演奏映像情報は、後述する図１１乃至図２０に示すような選曲（演奏曲検索）のための映像を前記映像表示装置３０に表示させるために用いられる情報である。
【００２６】
前記映像表示装置３０は、画面に対する方向（視野角）によってそれぞれ異なる複数種類の映像を表示させる視野角制御型の表示装置であり、好適には、一般的なＴＦＴ（Thin Film Transistor）液晶ディスプレイ上に所定の視差バリア構造を設けることにより２方向に放射光を分離し、それぞれの方向に異なる情報やコンテンツの表示を可能とする液晶ディスプレイである。図３は、この映像表示装置３０による視野角制御について説明する図である。この図３に示すように、前記映像表示装置３０は、画面３０ｓに対する第１の角度範囲Ａから視た場合に視認可能な第１の映像を表示させると共に、上記画面３０ｓに対する第２の角度範囲Ｂから視た場合に視認可能な第２の映像を表示させる。換言すれば、上記画面３０ｓに対する第１の角度範囲Ａから視た場合には上記第１の映像は視認可能であるが上記第２の映像は視認不可能であり、上記画面３０ｓに対する第２の角度範囲Ｂから視た場合には上記第２の映像は視認可能であるが上記第１の映像は視認不可能である。ここで、上記画面３０ｓに垂直な方向に対する上記第１の角度範囲Ａの中心方向の成す角、その画面３０ｓに垂直な方向に対する上記第２の角度範囲Ｂの中心方向の成す角は、好適には何れも４０°程度で固定されているが、前記個室１４の形態等に応じてその中心角度の開きを変更し得るようにしてもよい。また、上記第１の映像及び第２の映像を等価なものとすることで、上記視野角制御を行わない通常の映像表示装置と同様の表示形態とすることも可能である。以上のような視野角表示制御によって、上記画面３０ｓに対する第１の角度範囲Ａに位置する利用者（演奏者）７４ａと、第２の角度範囲Ｂに位置する利用者（演奏者）７４ｂとで、異なる映像を視ることが可能とされる。なお、図３では前記映像表示装置３０の画面３０ｓが紙面手前から奥に向かう方向に垂直を成すように描かれているが、これは説明の便宜のためであり、実際の映像表示装置３０は、以下に詳述する図４に示すように、前記画面３０ｓが利用者７４ａ、７４ｂの方に向けられた状態で設置されている。
【００２７】
図４は、前記受信ユニット６２による赤外線機器の方向検知について説明する図である。前記受信ユニット６２は、前述のように前記リモコン装置２８やワイヤレス式のマイクロフォン４０等の機器から送信される赤外線信号（無線信号）を受信する受信装置であるが、好適には、その赤外線信号の受信方向を判定できる構成を備えている。すなわち、前記リモコン装置２８やワイヤレス式のマイクロフォン４０等の機器からの赤外線信号に基づいてそれらの機器が位置する方向を検知する方向検知装置として機能する。この方向検知としては様々な態様が考えられるが、本実施例において必要十分には、図４に示すように対象となる機器が前記映像表示装置３０の画面３０ｓに対する第１の角度範囲Ａ及び第２の角度範囲Ｂのうち何れの範囲内に位置するかを検知するものである。なお、図４においては前記マイクロフォンが前記映像表示装置３０の画面３０ｓに対する第１の角度範囲Ａに入るものと検知されると共に、前記リモコン装置２８が前記映像表示装置３０の画面３０ｓに対する第２の角度範囲Ｂに入るものと検知される。
【００２８】
図２に戻って、前記映像情報デコーダ３２は、利用者が歌詞を参照しながら歌を歌う際に前記ハードディスク５０の背景映像データベース７０に記憶された背景映像情報に基づいて所定の背景映像を再生（デコード）する背景映像再生装置である。前記演奏曲の演奏に際しては、その演奏曲の背景映像指定情報により指定された背景映像情報が前記背景映像データベース７０から読み出され、その背景映像情報に基づく映像が前記映像情報デコーダ３２により再生されて前記ビデオミキサ３４へ送られる。また、前記映像出力部３３は、前記ＣＰＵ４４において生成された歌詞文字映像等の文字映像（テロップ）をはじめとする種々の映像を出力するものであり、前記ビデオミキサ３４は、前記ＣＰＵ４４において生成され且つ前記映像出力部３３から出力される文字映像等と、前記映像情報デコーダ３２により再生される背景映像とを合成して前記映像表示装置３０に表示させる映像合成装置である。なお、本実施例のカラオケ装置１６において、前記第１映像情報デコーダ３２ａ、第１映像出力部３３ａ、及び第１ビデオミキサ３４ａは、後述する図９及び図１０に示すような演奏のための映像すなわち演奏映像を表示させるために用いられ、前記第２映像情報デコーダ３２ｂ、第２映像出力部３３ｂ、及び第２ビデオミキサ３４ｂは、後述する図１１乃至図２０に示すような選曲（演奏曲検索）のための映像すなわち選曲映像を表示させるために用いられる。また、前記映像情報デコーダ３２、映像出力部３３、及びビデオミキサ３４は、必ずしもそのすべてが演奏映像及び選曲映像に対応してそれぞれ個別に設けられるものでなくともよく、例えば選曲映像の出力に映像情報デコーダ３２が不要である場合には、前記第２映像情報デコーダ３２ｂが設けられない構成も考えられる。
【００２９】
図５は、前記電子早見本装置２２の外観を大まかに示す斜視図である。この図５に示すように、前記電子早見本装置２２は、所定の画像（映像）を表示させると共に、利用者の接触に応じて入力を行うためのタッチパネルディスプレイ７８を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル７６を備えている。前記電子早見本装置２２は、そのクレイドル７６に取り付けられた状態又はそのクレイドル７６から取り外された状態で用いられ、取り付けられた状態においては、そのクレイドル７６及びＬＡＮ２４を介して前記カラオケ装置１６に有線接続されるようになっている。また、上記クレイドル７６から取り外された状態においては、上記アクセスポイント２６及びＬＡＮ２４を介して前記カラオケ装置１６に無線接続されるようになっている。
【００３０】
図６は、前記電子早見本装置２２の構成を説明するブロック線図である。この図６に示すように、前記電子早見本装置２２は、上記タッチパネルディスプレイ７８に所定の映像を表示させる表示装置８０と、その表示装置８０による表示を制御する表示制御部８２と、利用者の指や図示しない備え付けのペン等によるタッチパネルディスプレイ７８への接触により入力を行うタッチパネル８４と、そのタッチパネル８４による入力を制御する入力制御部８６と、中央演算処理装置であるＣＰＵ８８と、読出専用メモリであるＲＯＭ９０と、随時書込読出メモリであるＲＡＭ９２と、フラッシュＲＯＭ等の記憶部９４と、インターフェイス９６と、リモコン送信部９８と、無線ＬＡＮ通信部１００と、コネクタ１０２ａとを、備えて構成されている。上記クレイドル７６には、前記電子早見本装置２２と電気的な接続を可能とするためのコネクタ１０２ｂが設けられており、前記電子早見本装置２２は、前記クレイドル７６に載置されて上記コネクタ１０２ａ及び１０２ｂが接触させられることで、上記インターフェイス９６を介して前記クレイドル７６乃至はＬＡＮ２４に接続されるようになっている。また、上記記憶部９４には、前記カラオケ装置１６のカラオケデータベース６８に記憶された多数のカラオケ情報それぞれに対応して曲名、アーティスト名（歌手名）、歌詞の歌い出し部分等の選曲案内情報を選曲番号毎に記憶する演奏曲データベース、及び前記カラオケ装置１６と同様に、図１１乃至図２０を用いて後述するような選曲映像を表示させるための選曲映像情報を記憶する選曲映像データベースをはじめとする各種データベースが設けられている。
【００３１】
上記ＣＰＵ８８は、上記ＲＡＭ９２の一時記憶機能を利用しつつ上記ＲＯＭ９０に予め記憶された所定のプログラムに基づいて電子情報を処理・制御する所謂コンピュータであり、上記記憶部９４から選曲案内情報を読み出し、その記憶部９４に記憶された選曲映像情報に基づいて、上記表示装置８２を介してその選曲案内情報に基づく所定の案内映像を上記タッチパネルディスプレイ７８に表示させたり、そのタッチパネルディスプレイ７８に表示された案内映像に従って上記タッチパネル８４による入力が行われた場合、カラオケ演奏曲を予約するための選曲信号（選曲予約信号）を上記無線ＬＡＮ通信部１００等を介して前記カラオケ装置１６に送信する等の基本的な制御を行うものである。
【００３２】
図７は、前記リモコン装置２８の操作部を例示する図である。この図７に示すように、前記リモコン２８の操作部には、例えば、０から９までの数字を示す１０個の数字釦１０４、選曲／送信釦（以下、単に選曲釦と称する）１０６、左右上下の矢印釦１０８、取消釦１１０、演奏停止釦１１２、割込釦１１４、及びエフェクトを出力させるために入力操作される拍手／ＳＥ釦（以下、単にＳＥ釦と称する）１１６が備えられている。また、操作補助・確認のための表示部１１８が設けられている。上記数字釦１０４は、選曲番号の入力や後述するエフェクト番号の指定等を行うための釦（スイッチ）であり、その数字釦１０４が押されることで数字等が上記表示部１１８に表示される。また、上記取消釦１１０が押されることで上記表示部１１８に表示された数字等が消去させられる。選曲操作においては、上記表示部１１８に所定の数字が表示された状態で上記選曲釦１０６が押されることでその選曲番号が発信されて前記カラオケ装置１６に登録される。また、エフェクト出力操作においては、上記表示部１１８に所定の数字が表示された状態で上記ＳＥ釦１１６が押されることでその番号が発信されて前記カラオケ装置１６により所定のエフェクト音声及びエフェクト映像が出力される。左右上下の矢印釦１０８は、前記映像表示装置３０に選択肢が表示された際、同様に表示されるカーソル等を左右上下に移動させるための釦であり、その矢印釦１０８の操作に応じてカーソル移動信号が出力され、上記選曲釦１０６が押されることにより選択された項目が確定する。また、前記カラオケ装置１６によるカラオケ演奏中に左右の矢印釦１０８が操作されると、演奏音の音程を変更するための音程変更信号が出力される。上記演奏停止釦１１２は、カラオケ演奏を中途で停止するための釦であり、前記カラオケ装置１６による演奏中にこの演奏停止釦１１２が押されると、その時点において演奏されているカラオケ演奏が停止される。上記割込釦１１４は、前記カラオケ装置１６のＲＡＭ４８に記憶された演奏順（予約曲テーブル）に所望の演奏曲を割り込ませる割込選曲操作を行うための釦であり、その割込釦１１４が押されると、その時点で演奏されている曲の次に演奏されるように所望の演奏曲を予約することができる。前述したように、これらの入力は赤外線信号により前記受信ユニット６２を介して行われる。
【００３３】
図８は、前記カラオケ装置１６のＣＰＵ４４に備えられた制御機能の要部を説明する機能ブロック線図である。この図８に示す演奏映像表示制御手段１２０は、前記カラオケ装置１６による演奏曲の出力に際してその演奏曲に関する演奏映像を制御する。前記第１映像情報デコーダ３２ａ、第１映像出力部３３ａ、及び第１ビデオミキサ３４ａは、この演奏映像表示制御手段１２０に対応して設けられたものであり、斯かる演奏映像表示制御手段１２０は、これら第１映像情報デコーダ３２ａ、第１映像出力部３３ａ、及び第１ビデオミキサ３４ａを介して図９に示すようなタイトル映像１３２や、図１０に示すような演奏映像１３８の表示制御を行う。具体的には、図９に示すようなタイトル映像１３２の制御では、対象となる演奏曲のタイトル情報に基づいてそのタイトル映像１３２に対応するタイトル文字映像１３４を生成し、そのタイトル文字映像１３４を前記第１映像出力部３３ａにより出力させる。また、対象となる演奏曲の背景映像指定情報により指定される背景映像情報を前記背景映像データベース７０から読み出し、その背景映像情報に基づく背景映像１３６を前記第１映像情報デコーダ３２ａにより出力（再生）させる。そして、前記第１ビデオミキサ３４ａにおいて、前記第１映像情報デコーダ３２ａから出力される背景映像１３６の前面側レイヤに前記第１映像出力部３３ａから出力されるタイトル文字映像１３４を合成することで、図９に示すようなタイトル映像１３２を、後述する映像表示制御装置３５を介して前記映像表示装置３０に表示させる。
【００３４】
また、図１０に示すような演奏映像１３８の制御では、対象となる演奏曲の歌詞情報のテキスト情報及び出力タイミング情報に基づいてその演奏映像１３８に対応する歌詞文字映像１４０を生成し、その歌詞文字映像１４０を前記第１映像出力部３３ａにより出力させる。また、その歌詞情報の色替タイミング情報に基づいて前記第１映像出力部３３ａにより上記歌詞文字映像１４０を順次色替する制御を行う。また、斯かる歌詞文字映像１４０の制御と同期して、対象となる演奏曲の背景映像指定情報により指定される背景映像情報を前記背景映像データベース７０から読み出し、その背景映像情報に基づく背景映像１４２を前記第１映像情報デコーダ３２ａにより出力（再生）させる。そして、前記第１ビデオミキサ３４ａにおいて、前記第１映像情報デコーダ３２ａから出力される背景映像１４２の前面側レイヤに前記第１映像出力部３３ａから出力される歌詞文字映像１４０を合成することで、図１０に示すような演奏映像１３８を、後述する映像表示制御装置３５を介して前記映像表示装置３０に表示させる。この演奏映像１３８はカラオケ演奏を行うためには必ず表示されるべきであるため、好適には、前記第１の映像及び第２の映像のうち少なくとも一方としては表示させる。なお、図９及び図１０では、上記タイトル映像１３２における背景映像１３６と演奏映像１３８における背景映像１４２とは異なるものとして描かれているが、それらタイトル映像１３２及び演奏映像１３８が同一の演奏曲を対象とするものである場合、斯かる背景映像１３６、１４２は、好適には、同じ背景映像情報に基づいて再生される一続きの映像である。
【００３５】
図８に戻って、選曲映像表示制御手段１２２は、例えば前記カラオケ装置１６による演奏曲の出力に際して、前記カラオケデータベース６８に記憶された多数の演奏曲のうちから所定の演奏曲を選曲するための選曲映像を制御する。前記第２映像情報デコーダ３２ｂ、第２映像出力部３３ｂ、及び第２ビデオミキサ３４ｂは、この選曲映像表示制御手段１２２に対応して設けられたものであり、斯かる選曲映像表示制御手段１２２は、これら第２映像情報デコーダ３２ｂ、第２映像出力部３３ｂ、及び第２ビデオミキサ３４ｂを介して以下に詳述する図１１乃至図２０に示すような一連の選曲映像（演奏曲検索映像）の表示制御を行う。
【００３６】
図１１は、上記選曲映像表示制御手段１２２により制御される選曲映像の一例であるトップメニュー映像１４４を例示する図である。上記選曲映像表示制御手段１２２は、好適には、所定の種類の演奏曲検索制御を開始するための検索開始ボタン表示手段１２３を含んでいる。すなわち、図１１に示すようなトップメニュー映像１４４の制御では、上記選曲映像表示制御手段１２２は、歌手名に基づく検索を開始するための歌手名検索開始ボタン１４６、曲名に基づく検索を開始するための曲名検索開始ボタン１４８、及びジャンルに基づく検索を開始するためのジャンル検索開始ボタン１５０等の各種ボタンの映像を、前記選曲映像データベース７２に記憶された選曲映像情報に基づいて前記第２映像出力部３３ｂにより出力させる。また、前記リモコン装置２８等の入力装置からの入力信号に応じて前記第２映像出力部３３ｂによりそれらのボタンを色替表示（例えば、図１１では歌手名検索開始ボタン１４６が色替表示されている）させる等の制御を行う。そのように何れかのボタンが色替表示されている状態で、前記リモコン装置２８等により所定の操作が行われることでそのボタンが押され（選択され）、そのボタンに対応する種々の選曲制御（演奏曲検索制御）が開始される。例えば、上記歌手名検索開始ボタン１４６が押されることで図１２乃至図１５を用いて後述する歌手名検索制御が、上記曲名検索開始ボタン１４８が押されることで図１６乃至図１８を用いて後述する曲名検索制御が、上記ジャンル検索開始ボタン１５０が押されることで図１９及び図２０を用いて後述するジャンル検索制御が、それぞれ開始される。
【００３７】
図１２乃至図１５は、前記選曲映像表示制御手段１２２により制御される選曲映像の一例である歌手名検索映像１５２、１６０、１６４を例示する図である。前記選曲映像表示制御手段１２２は、好適には、それぞれ所定の文字を示す複数の文字ボタン１５４を表示させる文字ボタン表示手段１２４を含んでいる。すなわち、前記選曲映像表示制御手段１２２は、上述した図１１のトップメニュー映像１４４において歌手名検索開始ボタン１４６が押されることにより歌手名検索制御が開始されると、少なくとも五十音の文字を示す複数の文字ボタン１５４を含む図１２に示すような歌手名検索映像１５２を、前記選曲映像データベース７２に記憶された選曲映像情報に基づいて前記第２映像出力部３３ｂにより出力させる。また、前記リモコン装置２８等の入力装置からの入力信号に応じて前記第２映像出力部３３ｂによりそれらのボタンを色替表示（例えば、図１２では「は」の文字を示す文字ボタン１５４が色替表示されている）させる等の制御を行う。そのように何れかのボタンが色替表示されている状態で、前記リモコン装置２８等により所定の操作が行われることでそのボタンが押され（選択され）、その選択された文字乃至は文字列が図１３に示すように文字表示欄１５６に表示される。
【００３８】
また、前記選曲映像表示制御手段１２２は、好適には、上記文字ボタン表示手段１２４により表示された文字ボタン１５４の表示に従って前記リモコン装置２８等の入力装置により入力される文字乃至は文字列に基づいて検索される単数乃至は複数の歌手名を示す歌手名ボタン１６２を表示させる歌手名ボタン表示手段１２６を含んでいる。すなわち、前記選曲映像表示制御手段１２２は、上述した図１３に示すように上記文字表示欄１５６に所定の文字乃至は文字列が表示された状態で前記リモコン装置２８等の入力装置からの入力信号に応じて検索ボタン１５８が押されると、その文字乃至は文字列に基づいて前記カラオケデータベース６８から検索される単数乃至は複数の歌手名を示す歌手名ボタン１６２を含む図１４に示すような第２の歌手名検索映像１６０を、前記選曲映像データベース７２に記憶された選曲映像情報に基づいて前記第２映像出力部３３ｂにより出力させる。例えば、上述した図１３に示すように、「は」の文字が上記文字表示欄１５６に表示された状態で上記歌手名検索映像１５２における検索ボタン１５８が押されることで、その「は」を先頭とする複数の歌手名を示す歌手名ボタン１６２を五十音順に表示させる。また、前記リモコン装置２８等の入力装置からの入力信号に応じて前記第２映像出力部３３ｂによりそれらのボタンを色替表示（例えば、図１４では「浜岡ゆいな」の歌手名を示す歌手名ボタン１６２が色替表示されている）させる等の制御を行う。そのように何れかのボタンが色替表示されている状態で、前記リモコン装置２８等により所定の操作が行われることでそのボタンが押され（選択され）、その選択された歌手名に対応する演奏曲の検索が行われる。
【００３９】
また、前記選曲映像表示制御手段１２２は、好適には、上記歌手名ボタン表示手段１２６により表示された歌手名ボタン１６２の表示に従って行われる前記リモコン装置２８等の入力装置による入力に応じて検索される単数乃至は複数の演奏曲を示す曲名ボタン１６６を表示させる曲名ボタン表示手段１２８を含むものである。また、図８に示す選曲手段１３１は、その曲名ボタン表示手段１２６により表示された曲名ボタン１６６の表示に従って行われる入力装置による入力に応じて、その曲名ボタン１６６により示される演奏曲を選曲する。すなわち、前記選曲映像表示制御手段１２２は、上述した図１４に示すような第２の歌手名検索映像１６０において何れかの歌手名ボタン１６２が前記リモコン装置２８等の入力装置からの入力信号に応じて選択されると、その歌手名ボタン１６２により示される歌手名に基づいて前記カラオケデータベース６８から検索される単数乃至は複数の演奏曲を示す曲名ボタン１６６を含む図１５に示すような第３の歌手名検索映像１６４を、前記選曲映像データベース７２に記憶された選曲映像情報に基づいて前記第２映像出力部３３ｂにより出力させる。例えば、上述した図１４に示すように、「浜岡ゆいな」を示す歌手名ボタン１６２が押された場合には、前記カラオケデータベース６８に記憶された情報に基づいて「浜岡ゆいな」を歌手名とする単数乃至は複数の演奏曲を検索し、それらの演奏曲を示す複数の曲名ボタン１６６を五十音順に表示させる。また、前記リモコン装置２８等の入力装置からの入力信号に応じて前記第２映像出力部３３ｂによりそれらのボタンを色替表示（例えば、図１５では「明日は晴れ」の演奏曲を示す曲名ボタン１６６が色替表示されている）させる等の制御を行う。そして、上記選曲手段１３１は、そのように何れかの曲名ボタン１６６が色替表示されている状態で、前記リモコン装置２８等により所定の操作が行われてその曲名ボタン１６６が押され（選択され）た場合には、その曲名ボタン１６６に対応する演奏曲を前記ＲＡＭ４８等に設けられた予約曲テーブルに演奏予約曲として登録（選曲入力）する。
【００４０】
図１６乃至図１８は、前記選曲映像表示制御手段１２２により制御される選曲映像の一例である曲名検索映像１６８、１７０を例示する図である。前記選曲映像表示制御手段１２２は、前述した図１１のトップメニュー映像１４４において曲名検索開始ボタン１４８が押されることにより曲名検索制御が開始されると、前述したように少なくとも五十音の文字を示す複数の文字ボタン１５４を含む図１６に示すような曲名検索映像１６８を、前記選曲映像データベース７２に記憶された選曲映像情報に基づいて前記第２映像出力部３３ｂにより出力させる。また、前記リモコン装置２８等の入力装置からの入力信号に応じて前記第２映像出力部３３ｂによりそれらのボタンを色替表示（例えば、図１６では「あ」の文字を示す文字ボタン１５４が色替表示されている）させる等の制御を行う。そのように何れかのボタンが色替表示されている状態で、前記リモコン装置２８等により所定の操作が行われることでそのボタンが押され（選択され）、その選択された文字乃至は文字列が図１７に示すように文字表示欄１５６に表示される。
【００４１】
前記曲名ボタン表示手段１２８は、好適には、前記文字ボタン表示手段１２４により表示された文字ボタン１５４の表示に従って前記リモコン装置２８等の入力装置により入力される文字乃至は文字列に基づいて検索される単数乃至は複数の演奏曲を示す曲名ボタン１６６を表示させる。すなわち、前記選曲映像表示制御手段１２２は、上述した図１７に示すように上記文字表示欄１５６に所定の文字乃至は文字列が表示された状態で前記リモコン装置２８等の入力装置からの入力信号に応じて検索ボタン１５８が押されると、その文字乃至は文字列に基づいて前記カラオケデータベース６８から検索される単数乃至は複数の演奏曲を示す曲名ボタン１６６を含む図１８に示すような第２の曲名検索映像１７０を、前記選曲映像データベース７２に記憶された選曲映像情報に基づいて前記第２映像出力部３３ｂにより出力させる。例えば、上述した図１７に示すように、「あ」の文字が上記文字表示欄１５６に表示された状態で上記曲名検索映像１６８における検索ボタン１５８が押されることで、その「あ」を曲名の先頭とする複数の演奏曲を示す曲名ボタン１６６を五十音順に表示させる。また、前記リモコン装置２８等の入力装置からの入力信号に応じて前記第２映像出力部３３ｂによりそれらのボタンを色替表示（例えば、図１８では「ああ君に幸あれ」の演奏曲を示す曲名ボタン１６６が色替表示されている）させる等の制御を行う。そして、前記選曲手段１３１は、そのように何れかの曲名ボタン１６６が色替表示されている状態で、前記リモコン装置２８等により所定の操作が行われてその曲名ボタン１６６が押され（選択され）た場合には、その曲名ボタン１６６に対応する演奏曲を前記ＲＡＭ４８等に設けられた予約曲テーブルに演奏予約曲として登録（選曲入力）する。
【００４２】
図１９及び図２０は、前記選曲映像表示制御手段１２２により制御される選曲映像の一例であるジャンル検索映像１７２、１７６を例示する図である。前記選曲映像表示制御手段１２２は、好適には、それぞれ所定のジャンルを示す複数のジャンルボタン１７４を表示させるジャンルボタン表示手段１３０を含んでいる。すなわち、前記選曲映像表示制御手段１２２は、前述した図１１のトップメニュー映像１４４においてジャンル検索開始ボタン１５０が押されることによりジャンル検索制御が開始されると、予め定められた演奏曲のジャンルを示す複数のジャンルボタン１７４を含む図１９に示すようなジャンル検索映像１７２を、前記選曲映像データベース７２に記憶された選曲映像情報に基づいて前記第２映像出力部３３ｂにより出力させる。また、前記リモコン装置２８等の入力装置からの入力信号に応じて前記第２映像出力部３３ｂによりそれらのボタンを色替表示（例えば、図１９では「ポップス」のジャンルを示すジャンルボタン１７４が色替表示されている）させる等の制御を行う。そのように何れかのボタンが色替表示されている状態で、前記リモコン装置２８等により所定の操作が行われることでそのボタンが押され（選択され）、その選択されたジャンルに対応する演奏曲の検索が行われる。
【００４３】
前記曲名ボタン表示手段１２８は、好適には、上記ジャンルボタン表示手段１３０により表示されたジャンルボタン１７４の表示に従って行われる前記リモコン装置２８等の入力装置による入力に応じて検索される単数乃至は複数の演奏曲を示す曲名ボタン１６６を表示させる。すなわち、前記選曲映像表示制御手段１２２は、上述した図１９に示すようなジャンル検索映像１７２において前記リモコン装置２８等の入力装置からの入力信号に応じて所定のジャンルボタン１７４が選択されると、そのジャンルに基づいて前記カラオケデータベース６８から検索される単数乃至は複数の演奏曲を示す曲名ボタン１６６を含む図２０に示すような第２のジャンル検索映像１７６を、前記選曲映像データベース７２に記憶された選曲映像情報に基づいて前記第２映像出力部３３ｂにより出力させる。例えば、上述した図１９に示す「ポップス」のジャンルを示すジャンルボタン１７４が選択されることで、そのポップスジャンルに属する（ヘッダ情報において対応付けられた）複数の演奏曲を示す曲名ボタン１６６を五十音順に表示させる。また、前記リモコン装置２８等の入力装置からの入力信号に応じて前記第２映像出力部３３ｂによりそれらのボタンを色替表示（例えば、図２０では「桜（遠山真之介）」の演奏曲を示す曲名ボタン１６６が色替表示されている）させる等の制御を行う。そして、前記選曲手段１３１は、そのように何れかの曲名ボタン１６６が色替表示されている状態で、前記リモコン装置２８等により所定の操作が行われてその曲名ボタン１６６が押され（選択され）た場合には、その曲名ボタン１６６に対応する演奏曲を前記ＲＡＭ４８等に設けられた予約曲テーブルに演奏予約曲として登録（選曲入力）する。
【００４４】
図８に戻って、前記映像表示制御装置３５は、前記演奏映像表示制御手段１２０及び選曲映像表示制御手段１２２によりそれぞれ制御される演奏映像、選曲映像を、方向検知装置である前記受信ユニット６２により検知される無線信号の方向に基づいて、前記映像表示装置３０における前記第１の映像（第１の角度範囲Ａに対応）及び／又は第２の映像（第２の角度範囲Ｂに対応）として選択的に表示させる映像表示制御手段として機能する。具体的には、（ａ）演奏映像表示制御手段１２０により制御される演奏映像を第１の映像、選曲映像表示制御手段１２２により制御される選曲映像を第２の映像として表示させる態様、（ｂ）選曲映像表示制御手段１２２により制御される選曲映像を第１の映像、演奏映像表示制御手段１２０により制御される演奏映像を第２の映像として表示させる態様、（ｃ）演奏映像表示制御手段１２０により制御される演奏映像を第１の映像及び第２の映像として表示させる態様、（ｄ）選曲映像表示制御手段１２２により制御される選曲映像を第１の映像及び第２の映像として表示させる態様、（ｅ）演奏映像表示制御手段１２０により制御される演奏映像を第１の映像として表示させ、第２の映像としては何も表示させない態様、（ｆ）選曲映像表示制御手段１２２により制御される選曲映像を第１の映像として表示させ、第２の映像としては何も表示させない態様、（ｇ）第１の映像としては何も表示させず、演奏映像表示制御手段１２０により制御される演奏映像を第２の映像として表示させる態様、（ｈ）第１の映像としては何も表示させず、選曲映像表示制御手段１２２により制御される選曲映像を第２の映像として表示させる態様、（ｉ）第１の映像、第２の映像共に何も表示させない態様の何れかの態様で、前記演奏映像表示制御手段１２０及び選曲映像表示制御手段１２２によりそれぞれ制御される演奏映像が前記映像表示装置３０により表示される。
【００４５】
前記映像表示制御装置３５は、例えば、前記受信ユニット６２により検知される前記マイクロフォン４０の位置する方向に応じて前記演奏映像表示制御手段１２０により制御される演奏映像の出力切換制御を行う。具体的には、図４に示すように、前記受信ユニット６２により検知される前記マイクロフォン４０の位置（方向）が前記映像表示装置３０の画面３０ｓに対する第１の角度範囲Ａに入る場合には、前記演奏映像表示制御手段１２０により制御される演奏映像をその第１の角度範囲Ａに対応する前記第１の映像として表示させる。また、前記受信ユニット６２により検知される前記マイクロフォン４０の位置が前記映像表示装置３０の画面３０ｓに対する第２の角度範囲Ｂに入る場合には、前記演奏映像表示制御手段１２０により制御される演奏映像をその第２の角度範囲Ｂに対応する前記第２の映像として表示させる。このように、前記マイクロフォン４０の位置する角度範囲から前記映像表示装置３０の画面３０ｓを視る利用者７２ａにより前記演奏映像表示制御手段１２０により制御される演奏映像を視認可能に表示させることで、音声入力装置である前記マイクロフォン４０に追従して前記演奏映像を表示させることができ、そのマイクロフォン４０を持つ利用者７２はその演奏映像を視ながらカラオケ演奏を楽しむことができる。
【００４６】
また、前記映像表示制御装置３５は、例えば、前記受信ユニット６２により検知される前記リモコン装置２８の位置する方向に応じて前記選曲映像表示制御手段１２２により制御される選曲映像の出力切換制御を行う。具体的には、図４に示すように、前記受信ユニット６２により検知される前記リモコン装置２８の位置（方向）が前記映像表示装置３０の画面３０ｓに対する第２の角度範囲Ｂに入る場合には、前記選曲映像表示制御手段１２２により制御される選曲映像をその第２の角度範囲Ｂに対応する前記第２の映像として表示させる。また、前記受信ユニット６２により検知される前記リモコン装置２８の位置が前記映像表示装置３０の画面３０ｓに対する第１の角度範囲Ａに入る場合には、前記選曲映像表示制御手段１２２により制御される選曲映像をその第１の角度範囲Ａに対応する前記第１の映像として表示させる。このように、前記リモコン装置２８の位置する角度範囲から前記映像表示装置３０の画面３０ｓを視る利用者７２ｂにより前記選曲映像表示制御手段１２２により制御される選曲映像を視認可能に表示させることで、入力装置である前記リモコン装置２８に追従して前記選曲映像を表示させることができ、そのリモコン装置２８を持つ利用者７２はその選曲映像を参照しつつ選曲入力を行うことができる。
【００４７】
また、前記映像表示制御装置３５は、好適には、前記受信ユニット６２により検知される前記リモコン装置２８からの無線信号の方向と前記マイクロフォン４０からの無線信号の方向とが一致する場合には、前記演奏映像表示制御手段１２０により制御される演奏映像の表示を優先する。すなわち、前記受信ユニット６２により検知される前記リモコン装置２８の位置及びマイクロフォン４０の位置する方向が共に前記映像表示装置３０の画面３０ｓに対する第１の角度範囲Ａに入る場合には、前記演奏映像表示制御手段１２０により制御される演奏映像をその第１の角度範囲Ａに対応する前記第１の映像として表示させる。また、前記受信ユニット６２により検知される前記リモコン装置２８の位置及びマイクロフォン４０の位置する方向が共に前記映像表示装置３０の画面３０ｓに対する第２の角度範囲Ｂに入る場合には、前記演奏映像表示制御手段１２０により制御される演奏映像をその第２の角度範囲Ｂに対応する前記第２の映像として表示させる。このように、前記リモコン装置２８からの無線信号の方向と前記マイクロフォン４０からの無線信号の方向とが一致する場合には、前記演奏映像表示制御手段１２０により制御される演奏映像の表示を優先することで、前記リモコン装置２８からの入力があった場合でも前記演奏映像を継続して表示させることができ、前記マイクロフォン４０を持つ利用者７２は演奏を邪魔されることなくその演奏映像を視ながらカラオケ演奏を楽しむことができる。
【００４８】
図２１は、前記カラオケ装置１６のＣＰＵ４４による演奏映像表示制御の要部を説明するフローチャートであり、所定の周期で繰り返し実行されるものである。
【００４９】
先ず、ステップ（以下、ステップを省略する）ＳＡ１において、所定の演奏曲のカラオケ演奏が開始されるか否かが判断される。このＳＡ１の判断が否定される場合には、それをもって本ルーチンが終了させられるが、ＳＡ１の判断が肯定される場合には、ＳＡ２において、前記カラオケデータベース６８から演奏対象である演奏曲のカラオケ情報が読み出されて前記ＲＡＭ４８に記憶されると共に、そのカラオケ情報に含まれる背景映像指定情報に基づいて、その演奏曲と関連付けられた背景映像情報が選択されて前記背景映像データベース７０から読み出され、その背景映像情報に基づく背景映像の出力（再生）が前記第１映像情報デコーダ３２ａにより開始される。次に、ＳＡ３において、前記ＲＡＭ４８に記憶されたカラオケ情報に含まれる歌詞情報が読み出されて、その歌詞情報に含まれるテキスト情報及び出力タイミング情報に基づいて歌詞文字映像が生成（更新）され、前記第１映像出力部３３ａから出力される。また、その歌詞情報に含まれる色替タイミング情報に基づいて歌詞文字映像の色替制御が行われる。次に、ＳＡ４において、前記第１ビデオミキサ３４ａにより、ＳＡ２にて再生された背景映像の前面側レイヤにＳＡ３にて出力された歌詞文字映像が合成され、そのようにして合成された演奏映像が前記映像表示制御装置３５を介して前記映像表示装置３０に表示される。次に、ＳＡ５において、カラオケ演奏終了であるか否かが判断される。このＳＡ５の判断が否定される場合には、ＳＡ３以下の処理が再び実行されるが、ＳＡ５の判断が肯定される場合には、それをもって本ルーチンが終了させられる。以上の制御において、ＳＡ２乃至ＳＡ４が前記演奏映像表示制御手段１２０の動作に対応する。
【００５０】
図２２は、前記カラオケ装置１６のＣＰＵ４４による検索／選曲入力待受制御（選曲映像表示制御）の要部を説明するフローチャートであり、所定の周期で繰り返し実行されるものである。
【００５１】
先ず、ＳＢ１において、前記リモコン装置２８等の入力装置から送信された所定の入力信号（赤外線信号）が前記受信ユニット６２により受信されたか否かが判断される。このＳＢ１の判断が否定される場合には、それをもって本ルーチンが終了させられるが、ＳＢ１の判断が肯定される場合には、ＳＢ２において、前述した図１１に示すようなトップメニュー映像１４４が前記選曲映像データベース７２に記憶された選曲映像情報に基づいて前記第２映像出力部３３ｂにより出力される。次に、ＳＢ３において、前記リモコン装置２８等の入力装置による入力操作が行われることにより前記トップメニュー映像１４４において歌手名検索開始ボタン１４６が選択される等して歌手名検索が開始されたか否かが判断される。このＳＢ３の判断が否定される場合には、ＳＢ７以下の処理が実行されるが、ＳＢ３の判断が肯定される場合には、ＳＢ４において、前述した図１２乃至図１５に示すような歌手名検索映像が前記選曲映像データベース７２に記憶された選曲映像情報に基づいて前記第２映像出力部３３ｂにより順次出力され、歌手名に基づく演奏曲の検索が実行される。次に、ＳＢ５において、前記リモコン装置２８等の入力装置による入力操作が行われることにより所定の曲名ボタン１６６が選択されたか否かが判断される。このＳＢ５の判断が否定される場合には、それをもって本ルーチンが終了させられるが、ＳＢ５の判断が肯定される場合には、前記選曲手段１３１の動作に対応するＳＢ６において、その曲名ボタン１６６に対応する演奏曲が前記ＲＡＭ４８等に設けられた予約曲テーブルに演奏予約曲として登録（選曲入力）された後、本ルーチンが終了させられる。ＳＢ７の処理では、前記リモコン装置２８等の入力装置による入力操作が行われることにより前記トップメニュー映像１４４において曲名検索開始ボタン１４８が選択される等して曲名検索が開始されたか否かが判断される。このＳＢ７の判断が否定される場合には、ＳＢ９以下の処理が実行されるが、ＳＢ７の判断が肯定される場合には、ＳＢ８において、前述した図１６乃至図１８に示すような曲名検索映像が前記選曲映像データベース７２に記憶された選曲映像情報に基づいて前記第２映像出力部３３ｂにより順次出力され、曲名に基づく演奏曲の検索が実行された後、ＳＢ５以下の処理が実行される。ＳＢ９の処理では、前記リモコン装置２８等の入力装置による入力操作が行われることにより前記トップメニュー映像１４４においてジャンル検索開始ボタン１５０が選択される等してジャンル検索が開始されたか否かが判断される。このＳＢ９の判断が否定される場合には、ＳＢ１１において、その他の処理が実行された後、ＳＢ５以下の処理が実行されるが、ＳＢ９の判断が肯定される場合には、ＳＢ１０において、前述した図１９及び図２０に示すようなジャンル検索映像が前記選曲映像データベース７２に記憶された選曲映像情報に基づいて前記第２映像出力部３３ｂにより順次出力され、ジャンルに基づく演奏曲の検索が実行された後、ＳＢ５以下の処理が実行される。以上の制御において、ＳＢ１乃至ＳＢ５、及びＳＢ７乃至ＳＢ１１が前記選曲映像表示制御手段１２２の動作に対応する。
【００５２】
図２３は、前記カラオケ装置１６のＣＰＵ４４による映像表示制御装置３５を介しての映像出力切換制御の要部を説明するフローチャートであり、所定の周期で繰り返し実行されるものである。
【００５３】
先ず、ＳＣ１において、前記マイクロフォン４０からの赤外線信号に基づいてそのマイクロフォン４０が位置する方向が前記受信ユニット６２により検知され、その方向を示す情報が取得される。次に、ＳＣ２において、前記リモコン装置２８からの赤外線信号に基づいてそのリモコン装置２８が位置する方向が前記受信ユニット６２により検知され、その方向を示す情報が取得される。次に、ＳＣ３において、ＳＣ１にて検知されたマイクロフォン４０の位置する方向及び／又はＳＣ２にて検知されたリモコン装置２８の位置する方向に前回の検知と比較して変化があり、前記映像表示装置３０において各映像出力方向（視野角）に表示されている映像を切り換えるべきか否かが判断される。このＳＣ３の判断が否定される場合には、それをもって本ルーチンが終了させられるが、ＳＣ３の判断が肯定される場合には、ＳＣ４において、ＳＣ１にて検知されたマイクロフォン４０の位置する方向及び／又はＳＣ２にて検知されたリモコン装置２８の位置する方向の変化に基づいて、前記映像表示装置３０において各映像出力方向に表示されている映像すなわち前記第１の映像、第２の映像の切換制御が行われた後、本ルーチンが終了させられる。以上の制御において、ＳＣ３及びＳＣ４が前記映像表示制御装置３５の動作に対応する。
【００５４】
このように、本実施例によれば、画面３０ｓに対する第１の角度範囲Ａから視た場合に視認可能な第１の映像を表示させると共に、前記画面３０ｓに対する第２の角度範囲Ｂから視た場合に視認可能な第２の映像を表示させる映像表示装置３０を有し、前記演奏曲の出力と同期してその演奏曲の歌詞文字映像１４０を含む演奏映像１３８を、前記第１の映像及び／又は第２の映像として表示させる演奏映像表示制御手段１２０（ＳＡ２乃至ＳＡ４）と、その演奏映像表示制御手段１２０による表示に際して、前記多数の演奏曲のうちから所定の演奏曲を選曲するための選曲映像１５２等を、前記第１の映像及び／又は第２の映像として表示させる選曲映像表示制御手段１２２（ＳＢ１乃至ＳＢ５、及びＳＢ７乃至ＳＢ１１）とを、有することから、前記演奏映像１３８及び選曲映像１５２等をそれぞれ前記第１の映像又は第２の映像として共に可及的に大きく表示させることができる。すなわち、カラオケ演奏に際して演奏のための映像及び選曲のための映像を共に好適に表示し得るカラオケ装置１６を提供することができる。
【００５５】
また、前記選曲映像表示制御手段１２２は、それぞれ所定の文字を示す複数の文字ボタン１５４を表示させる文字ボタン表示手段１２４と、その文字ボタン表示手段１２４により表示された文字ボタン１５４の表示に従って前記リモコン装置２８等の入力装置により入力される文字乃至は文字列に基づいて検索される単数乃至は複数の歌手名を示す歌手名ボタン１６２を表示させる歌手名ボタン表示手段１２６と、その歌手名ボタン表示手段１２６により表示された歌手名ボタン１６２の表示に従って行われる前記入力装置による入力に応じて検索される単数乃至は複数の演奏曲を示す曲名ボタン１６６を表示させる曲名ボタン表示手段１２８とを、含むものであり、その曲名ボタン表示手段１２８により表示された曲名ボタン１６６の表示に従って行われる前記入力装置による入力に応じて、その曲名ボタン１６６により示される演奏曲を選曲する選曲手段１３１（ＳＢ６）を有するものであるため、前記演奏曲の歌手名に基づいて選曲を行うための実用的な選曲映像を順次表示できるという利点がある。
【００５６】
また、前記選曲映像表示制御手段１２２は、それぞれ所定の文字を示す複数の文字ボタン１５４を表示させる文字ボタン表示手段１２４と、その文字ボタン表示手段１２４により表示された文字ボタン１５４の表示に従って前記リモコン装置２８等の入力装置により入力される文字乃至は文字列に基づいて検索される単数乃至は複数の演奏曲を示す曲名ボタン１６６を表示させる曲名ボタン表示手段１２８とを、含むものであり、その曲名ボタン表示手段１２８により表示された曲名ボタン１６６の表示に従って行われる前記入力装置による入力に応じて、その曲名ボタン１６６により示される演奏曲を選曲する選曲手段１３１を有するものであるため、前記演奏曲の曲名に基づいて選曲を行うための実用的な選曲映像を順次表示できるという利点がある。
【００５７】
また、前記選曲映像表示制御手段１２２は、それぞれ所定のジャンルを示す複数のジャンルボタン１７４を表示させるジャンルボタン表示手段１３０と、そのジャンルボタン表示手段１３０により表示されたジャンルボタン１７４の表示に従って行われる前記リモコン装置２８等の入力装置による入力に応じて検索される単数乃至は複数の演奏曲を示す曲名ボタン１６６を表示させる曲名ボタン表示手段１２８とを、含むものであり、その曲名ボタン表示手段１２８により表示された曲名ボタン１６６の表示に従って行われる前記入力装置による入力に応じて、その曲名ボタン１６６により示される演奏曲を選曲する選曲手段１３１を有するものであるため、前記演奏曲のジャンルに基づいて選曲を行うための実用的な選曲映像を順次表示できるという利点がある。
【００５８】
また、無線信号（赤外線信号）を介して音声情報を入力するための音声入力装置であるマイクロフォン４０と、そのマイクロフォン４０からの無線信号の方向を検知する方向検知装置である受信ユニット６２と、その受信ユニット６２により検知される無線信号の方向に基づいて、前記演奏映像表示制御手段１２０により制御される演奏映像を前記映像表示装置３０における前記第１の映像及び／又は第２の映像として選択的に表示させる映像表示制御手段としての映像表示制御装置３５（ＳＣ３及びＳＣ４）とを、備えたものであるため、前記マイクロフォン４０の存在する方向すなわち演奏を行う利用者の存在する方向から視認できるように前記演奏映像を表示できるという利点がある。
【００５９】
また、無線信号（赤外線信号）を介して選曲に関する入力を行うための入力装置であるリモコン装置２８と、そのリモコン装置２８からの無線信号の方向を検知する方向検知装置である受信ユニット６２と、その受信ユニット６２により検知される無線信号の方向に基づいて、前記選曲映像表示制御手段１２２により制御される選曲映像を前記映像表示装置３０における前記第１の映像及び／又は第２の映像として選択的に表示させる映像表示制御手段としての映像表示制御装置３５とを、備えたものであるため、前記リモコン装置２８の存在する方向すなわち選曲を行う利用者の存在する方向から視認できるように前記選曲映像を表示できるという利点がある。
【００６０】
また、前記映像表示制御装置３５は、前記受信ユニット６２により検知される前記リモコン装置２８からの無線信号の方向と前記マイクロフォン４０からの無線信号の方向とが一致する場合には、前記演奏映像表示制御手段１２０により制御される演奏映像の表示を優先するものであるため、前記マイクロフォン４０及び選曲のためのリモコン装置２８が同じ方向に存在する際には前記演奏映像を優先的に表示させることで、演奏が妨げられるのを好適に防止できるという利点がある。
【００６１】
以上、本発明の好適な実施例を図面に基づいて詳細に説明したが、本発明はこれに限定されるものではなく、更に別の態様においても実施される。
【００６２】
例えば、前述の実施例において、前記映像情報デコーダ３２、映像出力部３３、及びビデオミキサ３４は、それぞれ別個の制御部として設けられたものであったが、本発明はこれに限定されるものではなく、例えばそれらの機能を有する一体の制御部として設けられたものであっても構わない。また、前記映像情報デコーダ３２、映像出力部３３、及びビデオミキサ３４と同等の制御機能が前記ＣＰＵ４４に機能的に備えられたものであってもよく、更にはそれらの制御機能が前記演奏映像表示制御手段１２０、選曲映像表示制御手段１２２に含まれるものであっても構わない。
【００６３】
また、前述の実施例において、前記映像表示制御装置３５は、前記ＣＰＵ４４とは別の制御部として設けられたものであったが、そのＣＰＵ４４に機能的に備えられたものであってもよい。また、前記映像表示制御装置３５における前記映像表示装置３０の第１の映像、第２の映像を切り換えるための映像切換機能がその映像表示装置３０に備えられたものであってもよい。この場合、前記方向検知装置により検知される無線信号の方向に基づいて、前記映像表示装置３０における前記第１の映像、第２の映像を切り換えるための指令信号を出力するための映像表示制御手段が独立の制御部或いは前記ＣＰＵ４４の機能として設けられ、前記映像表示装置３０はその映像表示制御手段から供給される指令信号に応じて前記第１の映像、第２の映像の切換制御を行う。
【００６４】
また、前述の実施例では、前記リモコン装置又はマイクロフォン４０からの赤外線信号に基づいて前記映像表示装置３０における前記第１の映像、第２の映像を切り換える態様について説明したが、この切換制御の基準となる無線信号としては、電波信号、光波信号、音波信号等、様々な種類の信号が考えられることは言うまでもない。また、リモコン送信（赤外線送信）機能を有する携帯電話機からの信号に基づいて前記演奏映像の表示切替制御を行うといった態様も考えられる。
【００６５】
また、前述の実施例では、音声入力装置としてワイヤレス式のマイクロフォン４０が備えられていたが、有線接続式のマイクロフォンを備えたカラオケ装置にも本発明は好適に適用されるものである。斯かる場合、その有線接続式のマイクロフォンに無線タグを貼り付け、その無線タグの方向を無線タグリーダにより検知してその検知信号を前記カラオケ装置１６に送る等すれば前述の実施例と同様の制御が実現できる。
【００６６】
また、前述の実施例では、前記電子早見本装置２２のタッチパネルディスプレイ７８に表示される選曲映像と同等の（乃至は近似した）選曲映像を前記選曲映像制御手段１２２により前記映像表示装置３０に表示させ、その選曲映像に従って演奏曲の検索を行う態様について説明したが、前記電子早見本装置２２における選曲映像とは専ら関係のない独自の選曲映像を前記選曲映像制御手段１２２により制御する態様も当然に可能である。
【００６７】
その他、一々例示はしないが、本発明はその趣旨を逸脱しない範囲内において種々の変更が加えられて実施され得るものである。
【図面の簡単な説明】
【００６８】
【図１】本発明が好適に適用されるカラオケシステムを説明する概略図である。
【図２】本発明の一実施例であるカラオケ装置の構成を例示するブロック線図である。
【図３】図２のカラオケ装置に備えられた映像表示装置による視野角制御について説明する図である。
【図４】図２のカラオケ装置に備えられた受信ユニットによる赤外線機器の方向検知について説明する図である。
【図５】図２のカラオケ装置の入力装置として用いられる電子早見本装置の外観を大まかに示す斜視図である。
【図６】図５の電子早見本装置の構成を説明するブロック線図である。
【図７】図２のカラオケ装置に備えられたリモコン装置の操作部を例示する図である。
【図８】図２のカラオケ装置のＣＰＵに備えられた制御機能の要部を説明する機能ブロック線図である。
【図９】図２のカラオケ装置に備えられた映像表示装置に表示されるタイトル映像の一例を示す図である。
【図１０】図２のカラオケ装置に備えられた映像表示装置に表示される演奏映像の一例を示す図である。
【図１１】図２のカラオケ装置に備えられた映像表示装置に表示される歌手名検索映像の一例を示す図である。
【図１２】図２のカラオケ装置に備えられた映像表示装置に表示される歌手名検索映像の一例を示す図である。
【図１３】図２のカラオケ装置に備えられた映像表示装置に表示される歌手名検索映像の一例を示す図である。
【図１４】図２のカラオケ装置に備えられた映像表示装置に表示される歌手名検索映像の一例を示す図である。
【図１５】図２のカラオケ装置に備えられた映像表示装置に表示される歌手名検索映像の一例を示す図である。
【図１６】図２のカラオケ装置に備えられた映像表示装置に表示される曲名検索映像の一例を示す図である。
【図１７】図２のカラオケ装置に備えられた映像表示装置に表示される曲名検索映像の一例を示す図である。
【図１８】図２のカラオケ装置に備えられた映像表示装置に表示される曲名検索映像の一例を示す図である。
【図１９】図２のカラオケ装置に備えられた映像表示装置に表示されるジャンル検索映像の一例を示す図である。
【図２０】図２のカラオケ装置に備えられた映像表示装置に表示されるジャンル検索映像の一例を示す図である。
【図２１】図２のカラオケ装置のＣＰＵによる演奏映像表示制御の要部を説明するフローチャートである。
【図２２】図２のカラオケ装置のＣＰＵによる検索／選曲入力待受制御（選曲映像表示制御）の要部を説明するフローチャートである。
【図２３】図２のカラオケ装置のＣＰＵによる映像表示制御装置を介しての映像出力切換制御の要部を説明するフローチャートである。
【符号の説明】
【００６９】
１６：カラオケ装置
２８：リモコン装置（入力装置）
３０：映像表示装置
３５：映像表示制御装置（映像表示制御手段）
４０：マイクロフォン（音声入力装置）
６２：受信ユニット（方向検知装置）
１２０：演奏映像表示制御手段
１２２：選曲映像表示制御手段
１２４：文字ボタン表示手段
１２６：歌手名ボタン表示手段
１２８：曲名ボタン表示手段
１３０：ジャンルボタン表示手段
１３１：選曲手段
１３８：演奏映像
１４０：歌詞文字映像
１５２：歌手名検索映像（選曲映像）
１５４：文字ボタン
１６０：第２の歌手名検索映像（選曲映像）
１６２：歌手名ボタン
１６４：第３の歌手名検索映像（選曲映像）
１６６：曲名ボタン
１６８：曲名検索映像（選曲映像）
１７０：第２の曲名検索映像（選曲映像）
１７２：ジャンル検索映像（選曲映像）
１７４：ジャンルボタン
１７６：第２のジャンル検索映像（選曲映像）
【図１】
0004456566.tif 000002
【図２】
0004456566.tif 000003
【図３】
0004456566.tif 000004
【図４】
0004456566.tif 000005
【図５】
0004456566.tif 000006
【図６】
0004456566.tif 000007
【図７】
0004456566.tif 000008
【図８】
0004456566.tif 000009
【図９】
0004456566.tif 000010
【図１０】
0004456566.tif 000011
【図１１】
0004456566.tif 000012
【図１２】
0004456566.tif 000013
【図１３】
0004456566.tif 000014
【図１４】
0004456566.tif 000015
【図１５】
0004456566.tif 000016
【図１６】
0004456566.tif 000017
【図１７】
0004456566.tif 000018
【図１８】
0004456566.tif 000019
【図１９】
0004456566.tif 000020
【図２０】
0004456566.tif 000021
【図２１】
0004456566.tif 000022
【図２２】
0004456566.tif 000023
【図２３】
0004456566.tif 000024